(57)【特許請求の範囲】
【請求項１】
上側が蓋部材により閉塞されたハウジングと、ハウジング内に収容され、光源から出射された各光ビームを偏向走査するポリゴンミラー部と、ポリゴンミラー部の下側に設けられて該ポリゴンミラー部を回転駆動するローター部を有するポリゴンモーターと、上記ポリゴンミラー部にて偏向走査された光ビームを被走査面に結像させる結像レンズ部とを備えた光走査装置であって、
上記ハウジングにおける上記結像レンズ部が設置される設置面は、上記ポリゴンモーターが設置される設置面に対して段差を持って高い位置に形成されており、
上記ポリゴンミラー部の回転軸方向から見て、該ポリゴンミラー部の各頂点を通る外接円の直径は、上記ポリゴンモーターのローター部の外径よりも大きく、
上記ポリゴンミラー部により偏向走査されて上記結像レンズ部を通過した光ビームを反射して上記被走査面に導く複数の折返しミラーを備え、
上記複数の折返しミラーは、主走査方向から見て、ポリゴンミラー部側から結像レンズ部側に向かって下側に傾斜する細長い矩形状の断面をなす傾斜ミラーを含み、
上記傾斜ミラーは、その下端が上記結像レンズ部の上端面における上記ポリゴンミラー部側のエッジの近傍に位置するように配置され、
上記結像レンズ部の上端面における上記ポリゴンミラー部側のエッジは、上記断面における上記傾斜ミラーの長手方向の延長上に位置している光走査装置。
【請求項２】
請求項１記載の光走査装置において、
上記ローター部の下端面から上端面までの距離は、上記ポリゴンミラー部の下端面から上端面までの距離よりも大きい、光走査装置。
【請求項３】
請求項１記載の光走査装置において、
上記ポリゴンミラー部の回転軸方向から見て、上記結像レンズ部の設置面における上記ポリゴンミラー側のエッジから当該結像レンズ部までの距離をｔとし、上記ポリゴンモーターの設置面における上記結像レンズ部側のエッジから該ポリゴンモーターの外周面までの距離をＴとしたとき、Ｔ＞ｔの関係を満たしている、光走査装置。
【請求項４】
請求項１記載の光走査装置において、
上記ハウジングは、上記結像レンズ部の設置面のポリゴンモーター側のエッジと、上記ポリゴンモーターの設置面の結像レンズ部側のエッジとを接続する接続面を有し、
上記接続面は、主走査方向から見てポリゴンモーター側から結像レンズ部側に近づくにつれて高さが増加する傾斜面とされている、光走査装置。
【請求項５】
請求項１記載の光走査装置において、
上記ハウジングは、上記結像レンズ部の設置面におけるポリゴンモーター側のエッジと、上記ポリゴンモーターの設置面における結像レンズ部側のエッジとを接続する接続面を有し、
上記接続面は、主走査方向から見てポリゴンモーター側から結像レンズ部側に近づくにつれて接線の傾きが急になる円弧状をなす湾曲面とされている、光走査装置。
【請求項６】
請求項１記載の光走査装置において、
上記ポリゴンミラー部は、上下方向に間隔を空けて同軸に配置された上側ポリゴンミラーと下側ポリゴンミラーとを含む、光走査装置。
【請求項７】
請求項６に記載の光走査装置において、
上記結像レンズ部は、上記ポリゴンミラー部の軸心方向から見て、該軸心を通る直線を挟んでその両側に対称に配置されている、光走査装置。
【請求項８】
請求項１記載の光走査装置を備えた画像形成装置。
【発明の詳細な説明】
【技術分野】
【０００１】
本発明は、光走査装置及び該光走査装置を備えた画像形成装置に関する。
【背景技術】
【０００２】
従来より、電子写真方式の画像形成装置に搭載される光走査装置として、光源と、光源から出射された光ビームを主走査方向に走査させるポリゴンミラー部と、ポリゴンミラー部によって走査された光ビームを被走査面に結像させる結像レンズと、これらの光学機器を内部に収容するハウジングとを備えたものが知られている（例えば、特許文献１参照）。ハウジングは上側に開放する有底箱状をなしており、ハウジングの上側は蓋部材により閉塞されている。
【先行技術文献】
【特許文献】
【０００３】
【特許文献１】特開２００２−２５８２０１号公報
【発明の概要】
【発明が解決しようとする課題】
【０００４】
上記特許文献１に示す光走査装置では、ポリゴンミラー部の回転によって生じた空気流がハウジングの側壁部に達することで側壁部の近傍が負圧になり、ハウジング外の空気がハウジングと蓋部材との隙間から異物（塵や埃等）と共にハウジング内に流入する。空気流と共にハウジング内に流入した異物がポリゴンミラー部の反射面に付着すると光走査装置の光学性能が低下してしまう。【０００５】
そこで、ポリゴンミラー部の周囲を隔壁で囲むことで、ポリゴンミラー部の回転によって生じた空気流をポリゴンミラー部の近傍で循環させて、ハウジングの側壁部近傍が負圧になるのを抑制することが考えられる。しかしこの場合、隔壁を設ける必要があるので部品点数が増加してコスト増加を招くという問題がある。【０００６】
本発明は、かかる点に鑑みてなされたものであり、その目的とするところは、安価な構成によりハウジングの防塵性を確保することができる光走査装置及び画像形成装置を提供することにある。
【課題を解決するための手段】
【０００７】
本発明に係る光走査装置は、上側が蓋部材により閉塞されたハウジングと、ハウジング内に収容され、光源から出射された各光ビームを偏向走査するポリゴンミラー部と、ポリゴンミラー部の下側に設けられて該ポリゴンミラー部を回転駆動するローター部を有するポリゴンモーターと、上記ポリゴンミラー部にて偏向走査された光ビームを被走査面に結像させる結像レンズ部とを備えている。【０００８】
そして、上記ハウジングにおける上記結像レンズ部が設置される設置面は、上記ポリゴンモーターが設置される設置面に対して段差を持って高い位置に形成されており、上記ポリゴンミラー部の回転軸方向から見て、該ポリゴンミラー部の各頂点を通る外接円の直径は、上記ポリゴンモーターのローター部の外径よりも大きいものとされている。  【０００９】
本発明に係る画像形成装置は、上記光走査装置を備えている。
【発明の効果】
【００１０】
本発明によれば、安価な構成によりハウジングの防塵性を確保可能な光走査装置及び画像形成装置が提供される。
【図面の簡単な説明】
【００１１】
【図１】図１は、実施形態における光走査装置を備えた画像形成装置を示す概略図である。
【図２】図２は、光走査装置を示す概略の平面図である。
【図３】図３は、図２のIII−III線断面を示す概略図である。
【図４】図４は、ポリゴンミラー部の周囲を拡大して示す概略図である。
【図５】図５は、ポリゴンミラー部の周囲の空気流れを説明するための説明図である。
【図６】図６は、変形例１を示す図５相当図である。
【図７】図７は、変形例２を示す図３相当図である。
【図８】図８は、変形例２を示す図５相当図である。
【発明を実施するための形態】
【００１２】
以下、本発明の実施形態を図面に基づいて詳細に説明する。尚、本発明は、以下の実施形態に限定されるものではない。
【００１３】
《実施形態》
図１は、実施形態における画像形成装置１の概略構成図を示す。この画像形成装置１は、タンデム方式のカラープリンターであって、箱形のケーシング２内に画像形成部３を備えている。この画像形成部３は、ネットワーク接続等がされたコンピューター等の外部機器から伝送されてくる画像データに基づき画像を記録紙Ｐに転写形成する部分である。画像形成部３の下方には、光ビーム（レーザー光）を照射する光走査装置４が配置され、画像形成部３の上方には、転写ベルト５が配置されている。光走査装置４の下方には、記録紙Ｐを貯留する用紙貯留部６が配置され、用紙貯留部６の側方には、手差し給紙部７が配置されている。転写ベルト５の側方上部には、記録紙Ｐに転写形成された画像に定着処理を施す定着部８が配置されている。符号９は、ケーシング２上部に配置され、定着部８で定着処理が施された記録紙Ｐを排出する用紙排出部である。
【００１４】
画像形成部３は、転写ベルト５に沿って一列に配置された４つの画像形成ユニット１０を備えている。これら画像形成ユニット１０は、感光体ドラム１１を有している。各感光体ドラム１１の直下には、帯電器１２が配置され、各感光体ドラム１１の一側方には、現像装置１３が配置され、各感光体ドラム１１の直上には、１次転写ローラー１４が配置され、各感光体ドラム１１の他側方には、感光体ドラム１１の周面をクリーニングするクリーニング部１５が配置されている。
【００１５】
そして、各感光体ドラム１１は、帯電器１２によって周面が一様に帯電され、当該帯電後の感光体ドラム１１の周面に対して、上記コンピューター等から入力された画像データに基づく各色に対応したレーザー光が光走査装置４から照射され、各感光体ドラム１１の周面に静電潜像が形成される。かかる静電潜像に現像装置１３から現像剤が供給されて、各感光体ドラム１１の周面にイエロー、マゼンタ、シアン、又はブラックのトナー像が形成される。これらトナー像は、１次転写ローラー１４に印加された転写バイアスにより転写ベルト５にそれぞれ重ねて転写される。
【００１６】
符号１６は、定着部８の下方に転写ベルト５と当接した状態で配置された２次転写ローラーであり、用紙貯留部６又は手差し給紙部７から用紙搬送路１７を搬送される記録紙Ｐを２次転写ローラー１６と転写ベルト５とで挟持し、２次転写ローラー１６に印加された転写バイアスにより転写ベルト５上のトナー像を記録紙Ｐに転写するようになっている。
【００１７】
定着部８は、加熱ローラー１８と加圧ローラー１９とを備え、これら加熱ローラー１８と加圧ローラー１９とにより記録紙Ｐを挟持して加熱及び加圧し、記録紙Ｐに転写されたトナー像を記録紙Ｐに定着させる。定着処理後の記録紙Ｐは、用紙排出部９に排出される。符号２０は、両面印刷時に定着部８から排出された記録紙Ｐを反転させるための反転搬送路である。
【００１８】
次に、図２及び図３を参照して光走査装置４の詳細について説明する。図２は光走査装置４の内部構造を示す平面図であり、図３は図２のIII方向矢視図である。
【００１９】
光走査装置４は、左側光源部４３Ｌ及右側光源部４３Ｒと、該各光源部４３Ｌ，４３Ｒから出射された光ビームを偏向走査する偏向器Ｄと、偏向器Ｄにより偏向走査された光ビームを感光体ドラム１１の表面に結像させる左側結像レンズ部４２Ｌ及び右側結像レンズ部４２Ｒと、これらを収容するハウジング４４とを有している。ハウジング４４は上側に開放する矩形箱状の樹脂ケースからなり、ハウジング４４の上側は蓋部材Ｆ（図１にのみ示す）により閉塞されている。
【００２０】
偏向器Ｄは、ポリゴンミラー部４０と、ポリゴンミラー部４０の下側に設けられて該ポリゴンミラー部４０を回転駆動するポリゴンモーター４１とを有している。
【００２１】
ポリゴンミラー部４０は、上下方向に間隔を空けて並ぶ上側ポリゴンミラー４０ａ及び下側ポリゴンミラー４０ｂと、両ポリゴンミラー４０ａ，４０ｂを互いに連結する連結部４０ｃとを有している。両ポリゴンミラー４０ａ，４０ｂは、平面視で正六角形状をなしていて互いに同軸に配置されている。
【００２２】
ポリゴンモーター４１は、矩形状の制御基板４９上に固定された電気モーターである。ポリゴンモーター４１は、軸心が上下方向に延びる円筒状のローター部４１ａを有している。ポリゴンミラー部４０は、このローター部４１ａの上端部に固定されて該ローター部４１ａと共に回転する。
【００２３】
ポリゴンモーター４１のローター部４１ａの外径をＲとし、ポリゴンミラー部４０を回転軸方向から見たときのポリゴンミラー部４０の各頂点を通る外接円の直径をｒとしたとき、Ｒ＜ｒの関係を満たしている。尚、ローター部４１ａが円筒状でない場合（例えば多角柱状である場合）におけるローター部４１ａの外径Ｒは、ローター部４１ａの周方向の各位置における直径の平均値を意味する。
【００２４】
また、ポリゴンモーター４１のローター部４１ａの下端面から上端面までの距離をＨ（図４参照）とし、ポリゴンミラー部４０の下端面から上端面までの距離をｈとしたとき、Ｈ＞ｈの関係を満たしている。
【００２５】
図２を参照して、左側光源部４３Ｌ及び右側光源部４３Ｒは、ポリゴンモーター４１に軸心を通り且つ前後方向に延びる直線Ｃ１を挟んで左右対称に配置されている。各光源部４３Ｌ，４３Ｒは、上側ポリゴンミラー４０ａに向けて光ビームを出射する上側レーザー光源４３ａと、下側ポリゴンミラー４０ｂに向けて光ビームを出射する下側レーザー光源４３ｂとを有している。
【００２６】
左側光源部４３Ｌ及び右側光源部４３Ｒの各光源４３ａ，４３ｂと各ポリゴンミラー４０ａ，４０ｂとの間にはそれぞれ、コリメータレンズ４５、アパーチャー４６及びシリンドリカルレンズ４７がこの順に配置されている。コリメータレンズ４５は、各レーザー光源４３ａ，４３ｂから出射された光ビームを平行光に変換する。アパーチャー４６はコリメータレンズ４５を通過した光ビームの光束の範囲を制限する。シリンドリカルレンズ４７はアパーチャー４６を通過した光ビームをポリゴンミラー４０ａ，４０ｂに集光させる。
【００２７】
左側結像レンズ部４２Ｌ及び右側結像レンズ部４２Ｒは、上記直線Ｃ１を挟んで左右対称に配置されている。各結像レンズ部４２Ｌは、上側ポリゴンミラー４０ａにより反射された光ビームが通過する上側結像レンズ４２ａと、下側ポリゴンミラー４０ｂにより反射された光ビームが通過する下側結像レンズ４２ｂと有している。各結像レンズ４２ａ，４２ｂは、前後方向に延びる長尺状のｆθレンズであって、各ポリゴンミラー４０ａ，４０ｂより反射された光ビームを等速度偏向して感光体ドラム１１の表面に結像させる。
【００２８】
光走査装置４の作動時には、左側光源部４３Ｌ及び右側光源部４３Ｒの各光源４３ａ，４３ｂから出射された光ビームがそれぞれコリメータレンズ４５、アパーチャー４６及びシリンドリカルレンズ４７を通過してポリゴンミラー部４０に照射される（図３の二点鎖線参照）。照射された各光ビームは、ポリゴンミラー部４０にて主走査方向（図３の紙面垂直方向）に偏向走査された後、左側結像レンズ部４２Ｌ，４２Ｒを通過し、その後、折返しミラー４８ａ〜４８ｄにより反射されて各色に対応する感光体ドラム１１の表面に結像される。各感光体ドラム１１の表面が各光ビームの被走査面を構成している。
【００２９】
図４に示すように、ポリゴンモーター４１は制御基板４９を介してハウジング４４の底壁部に固定されている。ハウジング４４の底壁部には、上側に開放する有底凹部４４ａが形成されている。有底凹部４４ａは、ポリゴンモーター４１と同軸をなす円形凹部４４ｂ（図２参照）と、円形凹部４４ｂの前端部から前側に延びる矩形凹部４４ｃとを有している。有底凹部４４ａの底面は、ポリゴンモーター４１が設置されるモーター設置面４４ｆとされている。
【００３０】
左側結像レンズ部４２Ｌ及び右側結像レンズ部４２Ｒは、モーター設置面４４ｆに対して段差を持って高い位置に配置されている。ハウジング４４は、結像レンズ部４２Ｌ（又は結像レンズ部４２Ｒ）の設置面４４ｇ（以下、レンズ設置面４４ｇという）におけるポリゴンモーター４１側のエッジと、モーター設置面４４ｆにおける結像レンズ部４２Ｌ(又は結像レンズ部４２Ｒ)側のエッジとを接続する接続面４４ｄを有している。
【００３１】
接続面４４ｄは、モーター４１側から結像レンズ部４２Ｌ（又は結像レンズ部４２Ｒ）側に向かうほど高くなる傾斜面とされている。この傾斜面の傾斜角度θは、４５°以上９０°未満（換言すれば、モーター設置面４４ｆと接続面４４ｄとの成す角度が９０°よりも大きく１３５°以下）であることが好ましく、本実施形態では例えば６５°とされている。
【００３２】
レンズ設置面４４ｇにおけるポリゴンミラー部４０側のエッジから結像レンズ部４２Ｌ，４２Ｒまでの距離をｔとし、モーター設置面４４ｆにおける結像レンズ部４２Ｌ側（又は結像レンズ部４２Ｒ側）のエッジからポリゴンモーター４１の外周面までの距離をＴとしたとき、ｔ＜Ｔの関係を満たしている。
【００３３】
次に図５を参照して、光走査装置４の作動時における偏向器Ｄの周辺の空気流れについて説明する。光走査装置４の作動時には、ポリゴンミラー部４０が高速回転するので、ポリゴンミラー部４０の周囲の空気が遠心力により径方向外側に向かって加速される。この径方向外側に向かう空気流が各結像レンズ部４２Ｌ，４２Ｒにより遮られて下側に向きを変えることで下降流が生じる。
【００３４】
一方、ポリゴンミラー部４０の周囲では、遠心力の影響で空気流の速度が高くなるので、ベルヌ−イの定理に基づいて負圧領域が生じる。このため、ローター部４１ａの周囲の空気は、ローター部４１ａの遠心力によって加速されつつこの負圧領域に吸い寄せられ上昇気流となる。そして、この上昇気流と上記下降気流とによって偏向器Ｄの側方には循環気流が形成される。したがって、ポリゴンミラー部４０の回転に伴い径方向外側に向かって加速された空気流がハウジング４４の側壁部付近に到達するのを防止することができる。延いては、ハウジング４４の側壁部付近に負圧領域が形成されてハウジング４４外の空気がハウジング４４と蓋部材Ｆとの隙間からハウジング４４内に流入するのを防止することができる。よって、空気流と共にハウジング４４内に異物が流入して各ポリゴンミラー４０ａ，４０ｂの反射面や各結像レンズ部４２Ｌ，４２Ｒの表面が汚染されるのを防止することができる。
【００３５】
ここで、ポリゴンミラー部４０の外接円の直径ｒはローター部４１ａの外径Ｒよりも大きいので、上昇気流の流速に比べて下降気流の流速が高くなる。したがって、上昇気流が各結像レンズ部４２Ｌ，４２Ｒを乗り越えてハウジング４４の側壁部に到達するのを抑制することができる。また、ローター部４１ａの外径Ｒを小さくすることにより、ローター部４１ａの側方に気流の循環スペースを十分に確保することができる。よって、気流の一部が各結像レンズ部４２Ｌ，４２Ｒを乗り越えてハウジング４４の側壁部に到達するのを確実に抑制することができる。
【００３６】
また、本実施形態では、ローター部４１ａの下端面から上端面までの距離Ｈは、ポリゴンミラー部４０の下端面から上端面までの距離ｈよりも大きい。これにより、ポリゴンモーター４１の設置面側に気流の循環スペースを十分に確保することができる。よって、気流をこのスペースに引き込んで効率良く循環させることが可能となる。
【００３７】
さらに本実施形態では、レンズ設置面４４ｇにおけるポリゴンミラー部４０側のエッジから結像レンズ部４２Ｌ（又は結像レンズ部４２Ｒ）までの距離をｔとし、モーター設置面４４ｆにおける結像レンズ部４２Ｌ（又は結像レンズ部４２Ｒ）側のエッジからポリゴンモーター４１の外周面までの距離をＴとしたとき、Ｔ＞ｔの関係を満たしている。
【００３８】
このように、距離ｔを極力短くする一方、距離Ｔを極力長くすることで上述した気流の循環スペースを十分に確保して気流の循環性を向上させることができる。
【００３９】
さらに本実施形態では、結像レンズ部４２Ｌ（又は結像レンズ部４２Ｒ）の設置面４４ｇにおけるポリゴンモーター４１側のエッジと、モーター設置面４４ｆにおける結像レンズ部４２Ｌ(又は結像レンズ部４２Ｒ)側のエッジとを接続する接続面４４ｄは、ポリゴンモーター４１側から結像レンズ部４２Ｌ（又は結像レンズ部４２Ｒ）側に向かうほど高くなる傾斜面とされている。
【００４０】
これによれば、ポリゴンミラー部４０の回転により生じた下降気流が接続面４４ｄに沿って滑らかに流れるので、下降気流の剥離を抑制することできる。延いては、下降気流と上昇気流とによって形成される循環気流が乱れるのを防止することができる。
【００４１】
また、本実施形態では、ポリゴンミラー部４０は、上側ポリゴンミラー４０ａと下側ポリゴンミラー４０ｂとを二段に配置して構成されている。したがって、ポリゴンミラーの段数が一段である場合に比べて、ポリゴンミラー部４０の下端面から上端面までの距離ｈが大きくなり、ポリゴンミラー部４０の回転により径方向外側へと加速される空気流量が増加する。このため、ハウジング４４の側壁部付近に空気流が到達し易くなり、上述のハウジング４４内への異物侵入の問題が特に生じ易い。本発明の構成はかかる構成に対して特に有用である。
【００４２】
《変形例１》
図６は、変形例１を示す図５相当図である。この変形例１は接続面４４ｄの形状が実施形態１とは異なっている。  
【００４３】
すなわち、本変形例１では、接続面４４ｄは湾曲面からなり、この湾曲面は、主走査方向（つまり結像レンズ部４２Ｌ，４２Ｒの長手方向であって図６の紙面垂直方向）から見たときにローター部４１ａ側から結像レンズ部４２Ｌ（又結像レンズ部４２Ｒ）側に向かうにしたがって接線の傾きが急になる円弧状に形成されている。
【００４４】
この構成によれば、接続面４４ｄを傾斜面で構成した場合に比べて、ポリゴンミラー部４０の回転により生じた下降気流を該接続面４４ｄに沿って滑らかに流すことができる。よって、実施形態１に比べて下降気流の剥離をより一層確実に抑制することができる。延いては、下降気流と上昇気流とによって形成される気流の循環性を向上させることができる。
【００４５】
《変形例２》
図７は、変形例２を示す図３相当図である。この変形例２は、各結像レンズ部４２Ｌ，４２Ｒを通過した光ビームを各感光体ドラム１１に導くための折返しミラー４８ｅ〜４８ｌの配置が上記実施形態及び変形例１とは異なっている。
【００４６】
すなおち、本変形例２では、光走査装置４は、左側結像レンズ部４２Ｌの上側結像レンズ４２ａを通過した光ビームを感光体ドラム１１に導く折返しミラー４８ｅと、下側結像レンズ４２ｂを通過した光ビームを感光体ドラム１１に導く３つの折返しミラー４８ｆ〜４８ｈと、右側結像レンズ部４２Ｒの上側結像レンズ４２ａを通過した光ビームを感光体ドラム１１に導く折返しミラー４８ｉと、下側結像レンズ４２ｂを通過した光ビームを感光体ドラム１１に導く折返しミラー４８ｊ〜４８ｌとを有している。
【００４７】
折返しミラー４８ｈ，４８ｌは、上側から見て、ポリゴンミラー部４０と結像レンズ部４２Ｌ（又は結像レンズ部４２Ｒ）との間に配置されている。これら二つの折返しミラー４８ｈ，４８ｌは、ポリゴンミラー部４０を挟んで（上記直線Ｃ１に対して）左右対称に配置されている。  
【００４８】
左側の折返しミラー（傾斜ミラー）４８ｈは、主走査方向から見て、ポリゴンミラー部４０側から左側結像レンズ部４２Ｌ側に向かって下側に傾斜している。同様に右側の折返しミラー（傾斜ミラー）４８ｌは、主走査方向から見て、ポリゴンミラー部４０側から右側結像レンズ部４２Ｌ側に向かって下側に傾斜している。
【００４９】
左側の折返しミラー４８ｈの下端は、左側結像レンズ部４２Ｌの上端面におけるポリゴンミラー部４０側のエッジ近傍に位置している。このエッジは、主走査方向から見て、該折返しミラー４８ｈの延長線上に位置している。同様に、右側の折返しミラー４８ｌの下端は、右側結像レンズ部４２Ｒの上端面におけるポリゴンミラー部４０側のエッジ近傍に位置している。このエッジは、主走査方向から見て、該折返しミラー４８ｌの延長線上に位置している。
【００５０】
本変形例２の光走査装置４によれば、図８に示すように、ポリゴンミラー部４０の回転により誘起された径方向外側に向かう空気流は、折返しミラー４８ｈ，４８ｌに衝突することより下側に偏向される。したがって、上述の循環気流をより一層確実に生じさせることができる。また、気流偏向部材として折返しミラー４８ｈ，４８ｌを利用するようにしたことで、部品点数を削減して製品コストを低減することができる。
【００５１】
《他の実施形態》
上記実施形態及び各変形例では、ポリゴンミラー部４０におけるポリゴンミラーの段数を二段にしているが、これに限ったものではなく、ポリゴンミラーの段数は一段であってもよいし、三段以上であってもよい。
【００５２】
上記実施形態及び各変形例では、光走査装置４は、ポリゴンミラー部４０を挟んで左右両側に走査光学系を配置した対向走方式を採用するようにしているが、これに限ったものではなく、本発明は、ポリゴンミラー部４０の一方側にのみ走査光学系を配置した光走査装置４に対しても適用可能である。
【００５３】
上記実施形態では、光走査装置４が搭載される画像形成装置１は、レーザープリンターとされているが、これに限ったものではない。すなわち、画像形成装置１は、例えば複写機、複合機（ＭＦＰ）又はファクシミリ等であってもよい。
【００５４】
また、本発明は上記実施形態及び各変形例に限定されるものでなく、本発明には、これらの実施形態及び各変形例を適宜組み合わせた構成が含まれる。
【産業上の利用可能性】
【００５５】
以上説明したように、本発明は、光走査装置及び該光走査装置を備えた画像形成装置について有用である。
【図１】
0006708990.tif 000002
【図２】
0006708990.tif 000003
【図３】
0006708990.tif 000004
【図４】
0006708990.tif 000005
【図５】
0006708990.tif 000006
【図６】
0006708990.tif 000007
【図７】
0006708990.tif 000008
【図８】
0006708990.tif 000009